(57)【要約】【課題】画質や音質の調整を一括で行うとともに、ユーザが一括で調整される画質や音声を選択する際、その選択を行い易くするような画質／音質調整装置、および上記画質／音質調整装置を使用したテレビジョン装置の提供を目的とする。【解決手段】テレビジョン装置１００は各メーカーが販売するテレビジョン装置の映像並びに音声の特徴を近似させた画質と音声の調整パラメータを記録したテーブルをＲＯＭ１４に記録し、ユーザからの指示に基づいてマイコン１３は、映像回路１１と音声回路１２に各メーカーの画質および音質に近似させるよう信号処理の指示を出す。【選択図】図１
2008078746.tif 000002
【特許請求の範囲】
【請求項１】
映像信号と音声信号とから構成されたビデオ信号を入力して、映像信号に所定の信号処理を施す映像回路と、音声信号に所定の信号処理を施す音声回路とを有する画質／音質調整装置と、
上記映像回路により信号処理された映像信号を基に映像を表示する表示パネルと、
上記音声回路により信号処理された音声信号を基に音声を出力するスピーカと、
ユーザからの指示に基づいて上記画質／音質調整装置に各信号処理の指示を出すマイコンと、
上記マイコンが起動するためのプログラムやテーブルを記録するメモリＩＣとを有するテレビジョン装置において、
上記メモリＩＣは、上記映像回路が信号処理を行う画質調整のパラメータであるコントラスト、ティント、ブライト、シャープネス、ガンマ値さらには色温度の各パラメータと、上記音声回路が信号処理を行う音質調整のパラメータであるトーンコントロールのパラメータを、各メーカーが販売するテレビジョン装置の画質と音質の特徴に近似させつつ、上記各メーカーごとに一括で記録した画質／音質特徴テーブルと、
画面上でユーザが画質および音質を近似させたいメーカを選択すると、上記マイコンが、選択されたメーカが販売するテレビジョン装置の画質と音質に近似させる各信号処理のパラメータが記録された上記画質／音質特徴テーブルを参照して、上記映像回路と上記音声回路とに画質と音質の調整指示を出す画質／音質調整プログラムとを記録することを特徴とするテレビジョン装置。
【請求項２】
映像信号に所定の信号処理を施す画質調整手段と、音声信号に所定の信号処理を施す音声調整手段とを有する画質／音質調整装置において、
上記画質調整手段が信号処理を行う画質調整のパラメータと、上記音声調整手段が信号処理を行う音質調整のパラメータとの調整値を、各メーカーが販売するテレビジョン装置の画質と音質の特徴に近似させて、上記各メーカーごとに一括で記録した画質／音質特徴記録手段と、
上記画質／音質特徴記録手段に基づいて、上記画質調整手段と上記音声調整手段とに画質と音質の調整指示を出す調整指示手段とを有することを特徴とする画質／音質調整装置。
【請求項３】
上記画質／音質特徴記録手段は、画質調整項目であるコントラスト、ティント、ブライト、シャープネス、ガンマ値さらには色温度のパラメータを各メーカーが販売するテレビジョン装置の画質特徴に近似させて記録することを特徴とする請求項２に記載の画質／音質調整装置。
【請求項４】
上記画質／音質特徴記録手段は、音質調整項目であるトーンコントロールのパラメータを各メーカーが販売するテレビジョン装置の音質特徴に近似させて記録することを特徴とする請求項２または請求項３のいずれかに記載の画質／音質調整装置。  
【請求項５】
上記調整指示手段はマイコンにより実施されることを特徴とする請求項２〜請求項４のいずれかに記載の画質／音質調整装置。
【請求項６】
上記画質／音質特徴記録手段は、上記マイコンが参照するメモリＩＣに記録されることを特徴とする請求項５に記載の画質／音質調整装置。
【請求項７】
上記調整指示手段は所定の指示を受け付けるとともに、上記受け付けた指示に基づいて上記画質調整手段と上記音声調整手段とに指示を出す構成であって、
上記画質／音質特徴記録手段は、上記調整指示手段からの指示に基づいて、各社の画質調整と音質調整とのパラメータを組み合わせて指示を出すことを特徴とする請求項２〜請求項６のいずれかに記載の画質／音質調整装置。
【発明の詳細な説明】
【技術分野】
【０００１】
画質や音声を調整する画質／音質調整装置に関し、特に調整するパラメータを一まとめにした画質／音質調整装置、および上記画質／音質調整装置を用いたテレビジョン装置に関する。
【背景技術】
【０００２】
図７は、テレビジョン装置等に使用される従来の画質／音質調整装置を表した図である。画質／音質調整装置１は、入力されたビデオ信号に所定の信号処理を施し、出力する映像や音声を加工するためのものである。同図より画質／音質調整装置１は、入力された映像信号に所定の信号処理を施す映像回路２と、入力された音声信号に所定の信号処理を施す音声回路３と、映像回路２と音声回路３が実行する各処理のパラメータを記録したＲＯＭ４と、上記ＲＯＭ４に記録された各処理の値を参照して、映像処理回路２と音声処理回路３に信号処理を行う指示を出すマイコン５とを有する構成である。上述した構成により、マイコン５の指示の基、ＲＯＭ４に記録された信号処理のパラメータに基づいて映像処理回路と音声処理回路は各信号処理を実行する。
【０００３】
また、上述した従来の画質／音質調整装置１では、ＥＥＰＲＯＭ４に記録された映像処理回路２や音声処理回路３が実行する信号処理の値を、リモコン装置６の操作によりユーザ側で調整可能である。映像処理回路２が行う映像信号に対する信号処理の種類としては、シャープ、ブライト、コントラスト、チルト、さらにはガンマや色温度の補正がある。そのため、ユーザは例えば画面に表示されたメニュー画面を参照しながら、リモコン装置６を操作して上記した各信号処理の値を変更していく。ユーザによって変更された信号処理の値は、その後の映像処理回路２の信号処理に適応され映像信号を加工する。
【０００４】
上記した構成の画質／音質調整装置は、上記したように数種類の調整項目を有しており、それによってユーザの嗜好に合わせた画質や音質の形成が可能である。しかしながら、調整項目が多枝にわたるため一つ一つの調整を個別に行う必要があり、画質や音質の調整に不慣れなユーザにはその調整は非常に難解なものであった。そのため大多数のユーザは上述した画質／音質調整装置を使用せず、せっかくの性能が無駄になるという問題があった。
【０００５】
録画装置による番組の録画をテレビジョン装置のリモコンにて行うことによりユーザに操作の簡易化を促し、録画装置を使い易くする方法として以下の発明が開示されている。つまり、テレビジョン装置側に録画条件を受け付けるとともに、録画時間になった場合に上記した録画条件を録画装置に送信する録画予約機能を有し、テレビジョン装置側のリモコン装置にて録画装置を制御している（例えば、特許文献１参照。）。
【０００６】
また、多枝に渡る画質調整項目を一括で調整して、ユーザに画質調整を使用する不便さを軽減する方法として以下の発明が開示されている。つまり、複数の画質調整のパラメータを一括して記録するメモリを有し、マイコンが上記メモリを参照することで画質調整を一括して行う（例えば、特許文献２参照。）。
【０００７】
さらに、画質や音質の調整を自動で行うＡＩ信号処理を行った際、ユーザにＡＩ信号処理を行ったことを知らせる方法として以下の発明が開示されている。つまり、画面に画質調整がなされた部分と画質調整がなされていない部分とを同時に表示する機能をもたせ、ユーザが画面上に上記二つの部分を見比べることによりＡＩ信号処理が実行されていることを判断する（例えば、特許文献３参照。）。
【特許文献１】特開２００２−２３８００１
【特許文献２】特開平１−２６４０８２
【特許文献３】特開平５−２０７３９９
【発明の開示】
【発明が解決しようとする課題】
【０００８】
上述した特許文献１の発明は、次のような課題があった。つまり特許文献１の発明は録画を行う際に適応される発明であり、本件のような画質と音質の調整をユーザ対して簡易にするものではない。
【０００９】
また、特許文献２の発明は、次のような課題がった。つまり特許文献２の発明は、画質を一括して調整を行うため、画質調整の操作に対してはユーザに簡易さを提供する。しかしながら調整項目の組み合わせをユーザ側で行うか、それとも出荷前に予め設定しておくかのどちらかで行う必要がある。しかしながら、前者の場合ユーザが調整項目の組み合わせを行う必要が生じ、調整操作に不慣れなユーザには以前として不便さを残す。また後者の場合、調整項目の組み合わせは出荷前に行われるためユーザが改めて操作を行う必要がなくなるが、一方で一括でなされた調整がユーザの嗜好に合わない場合がある。さらには、一括してなされた調整項目を選択するための指針が存在せず、ユーザ側に選択の不便さを残す。
【００１０】
さらに、特許文献３の発明は、次のような課題があった。つまり特許文献３の発明は、画質を自動で調整した後にユーザが画質調整をおこなったかを判断するための発明である。そのため、本件のような画質が音質の調整の不便さを解消するものではない。
【００１１】
本発明は、上記課題にかんがみてなされたもので、画質や音質の調整を一括で行うとともに、ユーザが一括で調整される画質や音声を選択する際、その選択を行い易くするような画質／音質調整装置、および上記画質／音質調整装置を使用したテレビジョン装置の提供を目的とする。
【課題を解決するための手段】
【００１２】
上記課題を解決するために、本発明の請求項２にかかる発明では、映像信号に所定の信号処理を施す画質調整手段と、音声信号に所定の信号処理を施す音声調整手段とを有する画質／音質調整装置において、
上記画質調整手段が信号処理を行う画質調整のパラメータと、上記音声調整手段が信号処理を行う音質調整のパラメータとの調整値を、各メーカーが販売するテレビジョン装置の画質と音質の特徴に近似させて、上記各メーカーごとに一括で記録した画質／音質特徴記録手段と、上記画質／音質特徴記録手段に基づいて、上記画質調整手段と上記音声調整手段とに画質と音質の調整指示を出す調整指示手段とを有する構成としている。
【００１３】
上記のように構成した発明では、画質調整手段と音声調整手段にて実行される信号処理のパラメータは画質／音質特徴記録手段に記録され、指示手段が上記画質／音質特徴記録手段を参照して各信号処理の指示を上記画質調整手段と音声調整手段とに出力する。このとき、画質／音質特徴記録手段は、画質と音質のパラメータを各メーカーが販売するテレビジョン装置の画質と音質の特徴に近似させたパラメータを一括で記録している。このため、ユーザは画質と音質の調整を一括で行うことが可能となるとともに、調整の際メーカー名等により画質と音質の調整パラメータの選択を行うことができ、調整値の選択を行い易くする。
【００１４】
また、画質／音質特徴記録手段が記録する調整値の具体的な構成の一例として、請求項３に記載の発明では、上記画質／音質特徴記録手段は、画質調整項目であるコントラスト、ティント、ブライト、シャープネス、ガンマ値さらには色温度のパラメータを各メーカーが販売するテレビジョン装置の画質特徴に近似させて記録する構成としている。
上記のように構成した発明では、画質／音質特徴記録手段は、コントラスト、ティント、ブライト、シャープネス、ガンマ値さらには色温度の調整値を各メーカーの画質調整値に近似させて記録している。そのため、上記した各項目について各メーカーの画質特徴に近似した映像を表示することができる。
【００１５】
そして、画質／音質特徴記録手段が記録する調整値の具体的な構成の一例として、請求項４に記載の発明では、上記画質／音質特徴記録手段は、音質調整項目であるトーンコントロールのパラメータを各メーカーが販売するテレビジョン装置の音質特徴に近似させて記録する構成としている。
【００１６】
上記のように構成した発明では、画質／音質特徴記録手段は、トーンコントロールのパラメータを各メーカーが販売するテレビジョン装置の音質特徴に近似させて出力することができる。
【００１７】
さらに、調整指示手段の具体的な構成の一例として、請求項５に記載の発明では、上記調整指示手段はマイコンにより実施される構成としている。
上記のように構成した発明では、調整指示手段はマイコンにより実施されるため、従来部品を使用した簡易な方法で調整指示手段を実現することができる。
【００１８】
また、画質／音質特徴記録手段の具体的な構成の一例として、請求項６に記載の発明では、上記画質／音質特徴記録手段は、上記マイコンが参照するメモリＩＣに記録される構成としてる。
上記のように構成した発明では、画質／音質特徴記録手段はマイコンが参照するメモリＩＣにて実現される。メモリＩＣとしてはＲＯＭやＨＤＤが上げられ、画質と音質の調整パラメータをマイコンが参照しやすいようメモリＩＣ内でテーブルにより記録するものであってもよい。
【００１９】
また、画質／音質特徴記録手段に記録されたパラメータは、固定値として出荷されるのみでなくユーザにより調整されるものであってもよい。そのため、請求項７に記載の発明では、上記調整指示手段は所定の指示を受け付けるとともに、上記受け付けた指示に基づいて上記画質調整手段と上記音声調整手段とに指示を出す構成であって、上記画質／音質特徴記録手段は、上記調整指示手段からの指示に基づいて、各社の画質調整と音質調整とのパラメータを組み合わせて指示を出す構成としている。
【００２０】
上記のように構成した発明では、ユーザは調整手段を介して画質／音質特徴記録手段に記録された各メーカーごとのパラメータを組み合わせることが可能となる。つまり、ユーザの指示により各メーカーごとの画質と音質の際立った特徴を組み合わせることで、ユーザは簡易な操作により嗜好にあった画質および音質の調整を行うことができる。その一例として画質／音質の個別の信号処理の他、映画館の臨場感を擬似的に再現するシアターモードや、スポーツ番組を表示するためのスポーツモードを組み合わせるものであってもよい。そのため、ユーザに画質／音質調整の利便性を訴え積極的にその使用を促すことができる。
【００２１】
さらに、上述した課題を解決するテレビジョン装置の具体的な構成として、請求項１に記載の発明は、映像信号と音声信号とから構成されたビデオ信号を入力して、映像信号に所定の信号処理を施す映像回路と、音声信号に所定の信号処理を施す音声回路とを有する画質／音質調整装置と、上記映像回路により信号処理された映像信号を基に映像を表示する表示パネルと、上記音声回路により信号処理された音声信号を基に音声を出力するスピーカと、ユーザからの指示に基づいて上記画質／音質調整装置に各信号処理の指示を出すマイコンと、上記マイコンが起動するためのプログラムやテーブルを記録するメモリＩＣとを有するテレビジョン装置において、
上記メモリＩＣは、上記映像回路が信号処理を行う画質調整のパラメータであるコントラスト、ティント、ブライト、シャープネス、ガンマ値さらには色温度の各パラメータと、上記音声回路が信号処理を行う音質調整のパラメータであるトーンコントロールのパラメータを、各メーカーが販売するテレビジョン装置の画質と音質の特徴に近似させつつ、上記各メーカごとに一括で記録した画質／音質特徴テーブルと、画面上でユーザが画質および音質を近似させたいメーカを選択すると、上記マイコンが、選択されたメーカが販売するテレビジョン装置の画質と音質に近似させる各信号処理のパラメータが記録された上記画質／音質特徴テーブルを参照して、上記映像回路と上記音声回路とに画質と音質の調整指示を出す画質／音質調整プログラムとを記録する構成としている。
【発明の効果】
【００２２】
以上説明したように本発明によれば、画質や音質の調整を一括で行うとともに、ユーザが一括で調整される画質や音声を選択する際、その選択を行い易くするような画質／音質調整装置の提供を目的とする。
また請求項３にかかる発明によれば、コントラスト、ティント、ブライト、シャープネス、ガンマ値さらには色温度の調整値を各メーカーの画質特徴に近似させた映像を表示することができる。
そして請求項４にかかる発明によれば、トーンコントロールのパラメータを各メーカーが販売するテレビジョン装置の音質特徴に近似させて出力することができる。
さらに請求項５および請求項６にかかる発明によれば、従来部品を使用した簡易な方法で調整指示手段を実現することができる。
また請求項７にかかる発明によれば、ユーザに画質／音質調整の利便性を訴え積極的にその使用を促すことができる。
さらに請求項１のような、より具体的な構成において、上述した請求項２〜請求項７の各発明と同様の作用を奏することはいうまでもない。
【発明を実施するための最良の形態】
【００２３】
本発明の画質／音質調整装置の具体的な説明として、上記画質／音質調整装置を使用するテレビジョン装置を基に説明する。しかしながら、本発明の画質／音質調整装置は上記テレビジョン装置に限定されるものではなく、本発明の画質／音質調整装置を使用するものであれば応用することができる。以下、下記の順序に従って本発明の実施形態を説明する。
（１）第一の実施の形態
（２）第一の実施の形態のまとめ
（３）第二の実施の形態
（４）第二の実施の形態のまとめ
【００２４】
（１）第一の実施の形態
以下、図１〜図５を参照して、この発明に係るテレビジョン装置を具体化した第１の実施の形態について説明する。図１は第一の実施の形態でのテレビジョン装置のブロック構成図である。テレビジョン装置１００は、テレビジョン放送や外部機器からのビデオ信号を受信して、映像と音声を出力するためのものである。そのため、テレビジョン装置１００は、ユーザからの操作を受け付けるリモコン装置６０と、リモコン装置６０からの操作を受け付けてアンテナ２０が受信したテレビジョン放送から所定の映像信号と音声信号とを抽出するチューナ部３０と、上記抽出した映像信号と音声信号に信号処理を行う画質／音質調整ブロック１０（画質／音質調整装置）と、リモコン装置６０からの操作信号を変換して出力するリモコンＩ／Ｆ７０と、映像信号を基に映像を表示する表示パネル４０と、音声信号を基に音声を出力するスピーカ５０とを有する構成である。上述した構成によりリモコン装置６０からの操作をリモコンＩ／Ｆ７０が受け付け、チューナ部３０が抽出した映像信号および音声信号を画質／音質調整ブロック１０にて信号処理した後、映像を表示パネル４０にて表示し音声をスピーカ５０にて出力する。
【００２５】
以下に本発明に関連する画質／音質調整ブロック１０について説明を行う。画質／音質調整ブロック１０は、チューナ部３０が抽出した映像信号と音声信号に所定の信号処理を施すためのものである。そのため、画質／音質調整ブロック１０は、映像信号に所定の信号処理を行う映像回路１１（画質調整手段）と、音声信号に所定の信号処理を施す音声回路１２（音声調整手段）と、リモコン装置６０からの操作並びに所定のプログラムに基づいて上述した映像回路１１と音声回路１２とを制御するマイコン１３（調整指示手段）と、マイコン１３が所定の制御を行うためのプログラムやテーブルを記録したメモリＩＣとしてのＲＯＭ１４（画質／音質特徴記録手段）とを有する構成である。上述した構成により画質／音質調整ブロック１０は入力された映像信号や音声信号にマイコン１３からの制御に基づいて、所定の信号処理を実行する。また、このときマイコン１３が実行する制御はＲＯＭ１４に記録されたプログラムやテーブルを参照して実行されることとなる。
【００２６】
以下に画質／音質調整ブロック１０が実行する信号処理について説明を行う。映像回路１１は、チューナ部３０から入力された映像信号を基に画質調整項目としての信号処理を実行する。映像回路１１が実行する信号処理としては、映像信号の輝度を調整するブライト、輝度の高低を調整するコントラスト、画面に表示する映像の輪郭を強調するシャープネス、ティント調整、色温度の補正、さらにはガンマ補正等が上げられる。上述した各信号処理を行うための構成は従来技術であるためここでは簡易的な説明に止める。チューナ部３０から入力された映像信号は、色信号であるＲ、Ｂと輝度信号であるＹの差分により構成されたＹ／色差信号（Ｒ−Ｙ、Ｒ−Ｂ）により構成されている。そのため、映像回路１１は入力されたＹ／色差信号を再度色信号と輝度信号に分離したのち、色信号と輝度信号にそれぞれ信号処理を施すことによりガンマ補正以外の上記した信号処理を実行する。  
【００２７】
上述した信号処理を行うための各パラメータはＲＯＭ１４に記録されたテーブルにより記録されており、マイコン１３は上記テーブルを参照するとともに、上記テーブルに記録されたパラメータの値に基づいて映像回路１１に信号処理の指示を出す。これにより、映像回路１１は、Ｙ／色差信号から分離した色信号や輝度信号に信号処理を施し、各信号処理を実行する。
【００２８】
また、ガンマ補正は元々は表示パネル４０の特徴のバラつきによる固体間の表示特徴を均一にするよう補正を行うためのものである。そのため、表示パネルに入力するディジタル信号であるの映像信号を所定のアナログ信号に変換する際、映像信号のディジタル値とアナログ信号の電圧値との対応関係を変更して、表示パネル４０の個体間でのバラつきを均一にしている。また、意図的に映像信号とアナログ信号の電圧値の対応を変化させて表示パネル４０に特徴のある映像を表示させることも可能である。具体的には、通常のガンマ値は０・７付近であるが、この値を０．５や０．８に変更させることにより特徴のある映像を表示することが可能である。上述したガンマ補正においても、映像信号とアナログ信号の電圧値の対応関係をＲＯＭ１４に記録したテーブルに記録させることで、マイコン１３の指示の基、固有の値を有するガンマ補正を行うことが可能である。
【００２９】
次に音声回路１２による具体的な信号処理を説明する。音声回路１２は入力された音声信号に音質調整項目としてトーンコントロールを行い、スピーカ５０にて出力する音声の低音部や高音部を調整する。映像回路１１のトーンコントロール自体は周知技術であるためここでは具体的な説明を省略する。その一例としてはトレブル、バス、さらにはラウドネス等が上げられる。上述した音声回路１２によるトーンコントロールのパラメータ値も、上述した映像回路１１と同様ＲＯＭ１４に記録されたテーブルに記録され、マイコン１３が上記画質／音質特徴テーブルを参照することにより音声回路１２に所定の指示を行う。
【００３０】
上述した映像回路１１および音声回路１２による信号処理は通例では、リモコン装置６０の操作によりユーザが直接調整を行う方法の他、ＲＯＭ１４に記録されたプログラムによりマイコン１３が自動で行っている。マイコン１３が自動で各信号処理の調整を行う後者の場合においても、ＲＯＭ１４に記録された画質／音質特徴テーブルのパラメータの各値は工場出荷時の設定を除いてユーザにて設定される必要がある。上述したパラメータの設定は、各処理に不慣れなユーザに対しては難解であり、その操作に不便がともなう。そこで本発明では、各信号処理を予め設定された値により一括で行うとともに、一括で行う信号処理を他メーカーの画質や音質の特徴と対応付けることにより、信号処理を選択するための指針を提供することとした。具体的には、ユーザはメニュー画面等で例えばＡ社を選択することにより、本発明のテレビジョン装置１００はＡ社の画質、音質に近似した信号処理を実施することとなる。これにより、ユーザが各メーカーの画質や音質の特徴を選択することで、画質や音質の調整機能を身近に体験できるようになる。
【００３１】
上述した機能を実現するため、本発明のテレビジョン装置１００は、画質や音質を調整するパラメータを各メーカーの画質、音質の特徴ごと記録し、ユーザの選択の基マイコン１３により一括で映像回路１１ならびに音声回路１２に指示を出すような構成としている。そのため、ＲＯＭ１４には各社の信号処理のパラメータを記録した複数の画質／音質特徴テーブルを記録している。上述したメーカーごとのパラメータは当然、テレビジョン装置１００の画質、音質調整機能に対応したもののみが記録されており、各メーカーの画質、音質を忠実に再現する必要はない。
【００３２】
以下に画質／音質特徴テーブルに記録されるパラメータの一例を説明する。図２は、仮にソニー（ソニー株式会社：登録商標第０６０４１７７）製Ｂの画質、音質を近似したパラメータを記録した画質／音質特徴テーブルのイメージ図である。ソニー製Ｂの画質は青を強調するとともに、輝度を高めに設定している。通常の色温度の設定は８０００Ｋから９０００Ｋでありる。そのため、図に示すパラメータでは、色温度を１００００Ｋとし青色を強調させつつ、ブライトを高めに設定して輝度を高めにしている。これにより画面に表示される映像は青みがかり全体的に明るめの映像となる。また、他の一例として図３に、松下（松下電器：登録商標第３１１０４２７）製Ｃの画質、音質を近似したパラメータを記録した画質／音質特徴テーブルのイメージ図を表す。松下製Ｃの特徴としては、黒レベルの階調表現に特徴を持っている。そのため、画質／音質特徴テーブル上では、コントラストの値が設定時に比べて低めに設定し黒レベルの表現を高めている。そのため、画面に表示される映像では黒部分の階調表現が増え深みを有する映像となっている。
【００３３】
上述した、各メーカーごとにまとめられた画質、音質の調整値は、例えば画面上でユーザがリモコン等により各メーカーの名前が記載されたアイコンを選択することにより実行される。図４は、画質／音質調整時における画面に表示されるアイコンの一例を表した図である。同図より、メニュー画面上にて表示される画質、音質の調整を選択すると、画面上には、図４にて表した選択画面が表示される。上述した選択画面には、各メーカー名が表示され、ユーザがリモコン装置６０の操作により各メーカー名を選択することで、画質、音質調整の指示を出す。以下に上記指示によりマイコン１３が実行する画質、音質調整プログラムを説明する。
【００３４】
図５は、画質、音質調整プログラムによりマイコン１３が実行するフローチャートである。ユーザがリモコン装置６０を用いてメニュー画面上で画質／音質調整を選択すると、マイコン１３はＲＯＭ１４に記録された画質／音質調整プログラムを起動する。次に、ユーザがメニュー画面上に表示された各メーカーに対応する文字列から所定のメーカーを選択すると、マイコン１３は上記選択指示を受付け（ステップＳ１００）、ＲＯＭ１４内のユーザにより選択された上記メーカーに対応する画質／音質特徴テーブルを参照する（ステップＳ１１０）。そして、マイコン１３は参照した画質／音質特徴テーブルに記録されたパラメータに基づいて映像回路１１に各信号処理を一括して指示を出す（ステップＳ１２０）。同様にマイコン１３は音声回路１２にも参照した画質／音質特徴テーブルに記録されたパラメータに基づいて各信号処理を一括して指示を出す（ステップＳ１３０）。その後、ユーザがリモコン装置６０により画質／音質調整の終了を選択した場合は、マイコン１３は通常プログラムへ移行し、そうでなければ再度ユーザによるメーカーの選択を受け付ける（ステップＳ１４０）。
【００３５】
（２）第一の実施の形態のまとめ
上述した構成により、テレビジョン装置１００は各メーカーが販売するテレビジョン装置の映像並びに音声の特徴を近似させた画質と音声の調整パラメータを記録し、ユーザからの指示に基づいて各メーカーの画質および音質に近似させた映像や音声を出力することが可能となる。そのため、ユーザは様々な画質／音質調整を一括で行うことができるとともに、メーカー名をイメージしながら画質や音質の調整を選択することが可能となる。ゆえに、画質および音質を調整する際、メーカー名を選択の指針とすることができ操作性を向上させることが可能となる。 
【００３６】
（２）第二の実施の形態
上述した第一の実施の形態では、画質および音質の調整を行う際、メーカー名を基に調整項目の選択を一括して行い調整を行ってきた。しかしながら、調整項目はメーカーごとの特徴がありユーザによってはその両方を再現したい場合が存在する。具体的にはＡ社は映像に特徴があり、Ｂ社は音声に特徴がある場合、ユーザは映像をＡ社の特徴に近似させ、音声をＢ社の特徴に近似させたい場合が存在する。そのため、本発明の第二の実施の形態では、ユーザからの指示に基づいて、メーカーごとの画質と音質の特徴を組み合わせることができる構成としている。これは、ユーザが画質／音質調整に多少なりとも慣れてきた場合に、画質／音質調整を積極的に活用操作してもらうためにも有益である。
【００３７】
以下第二の実施の形態の具体的な構成を図６をもとに説明する。上述した機能を実現するため、テレビジョン装置１００は、ＲＯＭ１４にマイコンが起動するための画質／音質特徴組み合わせプログラムを記録している。図６は、第二の実施の形態での画質／音質組み合わせプログラムによりマイコンが実施するフローチャートである。図６のフローチャートは、図５での画質／音質調整プログラムの起動時に実行される。また、第二の実施の形態では、メーカごとの特徴の組合せとして画質特徴と音質特徴の組み合わせを基に説明を行っているが、これに限定されず画質特徴を調整する個別の信号処理を組み合わせるものであってもよい。さらには、画質調整として例えば映画館での再生にまねたシアターモードや、スポーツ中継などを表示するためのライブモードを有する場合においては、上記したモードを組み合わせ新たな画質／音質特徴テーブルを作成するものであってもよい。  
【００３８】
ユーザが図４にて表したメニュー画面上で、画質／音質調整メニューを選択しさらに画質／音質の組合せを選択した場合、マイコン１３はＲＯＭ１４に記録された画質／音質特徴組合せプログラムを読み出す。次に、ユーザは画質特徴として近似させたいメーカーを画面に表示された各メーカーに対応する文字列から選択し、マイコン１３は上記指示を受け付ける（ステップＳ２００）。さらに、ユーザは音質特徴として近似させたいメーカーに対応する文字列を選択し、マイコン１３は上記指示を受け付ける（ステップＳ２１０）。そうして、受け付けた指示に基づいてマイコン１３は二つの画質／音質特徴テーブルをＲＯＭ１４から読み出し（ステップＳ２２０）、上記二つの画質／音質特徴テーブルの画質特徴と音質特徴を調整する信号処理のパラメータを組合せ新たな画質／音質特徴テーブルを作成する（ステップＳ２３０）。このとき新たに作成した画質／音質特徴テーブルはＲＯＭ１４に記録させ、次回から読み出すことも可能である。
【００３９】
さらに、マイコン１３は新たに作成した画質／音質特徴テーブルを基に映像回路１１に指示を一括して出力する（ステップＳ２４０）。同様に、マイコン１３は新たに作成した画質／音質特徴テーブルを基に音声回路１２に指示を一括して出力する（ステップＳ２５０）。ユーザがリモコン装置６０により画質／音質調整の終了を選択した場合は、マイコン１３は通常プログラムへ移行し、そうでなければ再度ユーザによるメーカーの選択を受け付ける（ステップＳ２６０）。
【００４０】
（４）第二の実施の形態のまとめ
上述した構成により第二の実施の形態でのテレビジョン装置１００は、ユーザの指示に基づいて各メーカーの特徴に対応した画質特徴と音質特徴とを組合せ、新たな画質と音質を作り出すことが可能となる。そのため、第二の実施の形態では第一の実施の形態での効果に加え以下の効果を有している。つまり、ユーザのリモコン装置６０を用いた指示により各メーカーごとの画質と音質の特徴を組み合わせることで、ユーザの嗜好にあった画質および音質の調整を行うことができる。このとき、画質および音質を調整するためにメーカー名を使用するため、ユーザは調整内容をイメージし易く、これによりユーザに画質／音質調整の使用を促すことができる。
【００４１】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４２】
【図１】テレビジョン装置のブロック構成図である。
【図２】仮にソニー製Ｂの画質、音質を近似したパラメータを記録した画質／音質特徴テーブルのイメージ図である。
【図３】松下製Ｃの画質、音質を近似したパラメータを記録した画質／音質特徴テーブルのイメージ図を表す。
【図４】画質／音質調整時における画面に表示されるアイコンの一例を表した図である。
【図５】画質／音質調整プログラムによりマイコンが実行するフローチャートである。
【図６】画質／音質組み合わせプログラムによりマイコンが実施するフローチャートである。
【図７】テレビジョン装置等に使用される従来の画質／音質調整装置を表した図である。
【符号の説明】
【００４３】
１０…画質／音質調整ブロック、１１…映像回路、１２…音声回路、１３…マイコン、１４…ＲＯＭ、２０…アンテナ、３０…チューナ部、４０…表示パネル、５０…スピーカ、６０…リモコン装置、７０…リモコンＩ／Ｆ、１００…テレビジョン装置
【図１】
2008078746.tif 000003
【図２】
2008078746.tif 000004
【図３】
2008078746.tif 000005
【図４】
2008078746.tif 000006
【図５】
2008078746.tif 000007
【図６】
2008078746.tif 000008
【図７】
2008078746.tif 000009